(57)【要約】【課題】発熱体が変形しにくいように構成された釣糸切断具を提供する。【解決手段】釣糸切断具１は、バッテリ５１と、バッテリ５１から受けた電流を基にした熱溶融により釣糸を切断するための切断部３３５を有する発熱体３３と、前側が開口し、奥側において切断部３３５が露出するように発熱体３３を保持するとともに、開口から入ってきた釣糸を切断部３３５に案内する案内部を有する固定ユニットとを備えている。【選択図】図１
2020114184.tif 000002
【特許請求の範囲】
【請求項１】
電源と、
前記電源から受けた電流を基にした熱溶融により釣糸を切断するための切断部を有する発熱体と、
前側が開口し、奥側において前記切断部が露出するように前記発熱体を保持するとともに、前記開口から入ってきた釣糸を前記切断部に案内する案内部を有する固定ユニットとを備えている
ことを特徴とする釣糸切断具。
【請求項２】
請求項１に記載の釣糸切断具において、
前記切断部は、前記案内部の案内方向に沿う平板状に形成されている
ことを特徴とする釣糸切断具。
【請求項３】
請求項１に記載の釣糸切断具において、
前記案内部において、前記切断部の周りに該切断部を保護するための壁面が形成されている
ことを特徴とする釣糸切断具。
【請求項４】
請求項１に記載の釣糸切断具において、
前記案内部の開口は、前側に向かって広がるように形成されている
ことを特徴とする釣糸切断具。
【請求項５】
請求項１に記載の釣糸切断具において、
前記発熱体は、熱溶融により釣糸の先端部に溶融こぶを形成するための面状のこぶ生成部を備え、
前記案内部には、前記こぶ生成部の表面が露出するように開口が形成されている
ことを特徴とする釣糸切断具。
【請求項６】
請求項５に記載の釣糸切断具において、
前記切断部と前記こぶ生成部は、同一平板上に形成されている
ことを特徴とする釣糸切断具。
【請求項７】
請求項５に記載の釣糸切断具において、
前記切断部の電路の断面積は、前記こぶ生成部の電路の断面積よりも小さい
ことを特徴とする釣糸切断具。
【請求項８】
請求項１から７のいずれか１項に記載の釣糸切断具において、
光源と、
前記光源の出射光を前記釣糸切断具の外側から視認できるように導く導光レンズとを備え、
前記導光レンズの外表面は、前記光源の出射光の一部を前記切断部に向かう方向に反射させるように構成されている
ことを特徴とする釣糸切断具。
【発明の詳細な説明】
【技術分野】
【０００１】
本発明は、熱溶融式の釣糸切断具に関する。
【背景技術】
【０００２】
従来より、電熱線を利用した熱溶融式の釣糸切断具が知られている。
【０００３】
例えば、非特許文献１の釣糸切断具は、本体の先端からＵ字状に電熱線（例えば、ニクロム線）を露出させた構成を有し、その電熱線に電流を流して発熱させた状態で釣糸を電熱線に接触させて切断するものである。以下、非特許文献１のような釣糸切断具を「電熱線式の切断具」という場合がある。
【０００４】
また、メインラインとリーダーとの結束作業において、あらかじめ端糸の先端に焼きを入れて溶融こぶ（溶融玉）を作ることで抜け止めができ、結束強度を確保できることが知られている。
【先行技術文献】
【非特許文献】
【０００５】
【非特許文献１】Pure Fishing, Inc.、“Hot Line Cutter”、［online］、Pure Fishing, Inc.、［平成31年1月11日検索］、インターネット〈http://www.berkley-fishing.com/berkley-tools-and-equipment-line-management-berkley-fishingear/berkley-hot-line-cutter/1285865.html〉
【発明の概要】
【発明が解決しようとする課題】
【０００６】
しかしながら、電熱線式の切断具は、電熱線が曲がったり、折れたりしやすいので、使い勝手が悪く、耐久性が十分ではないという問題があった。
【０００７】
本発明は、上記問題点を解決した釣糸切断具を提供することを目的とする。
【課題を解決するための手段】
【０００８】
本発明の一態様に係る釣糸切断具は、電源と、前記電源から受けた電流を基にした熱溶融により釣糸を切断するための切断部を有する発熱体と、前側が開口し、奥側において前記切断部が露出するように前記発熱体を保持するとともに、前記開口から入ってきた釣糸を前記切断部に案内する案内部を有する固定ユニットとを備えていることを特徴とする。
【０００９】
上記構成によると、案内部の開口の奥側において切断部を露出させ、そこに釣糸を案内するように構成しているので、従来の釣糸切断具よりも切断部が変形しにくい。
【００１０】
前記釣糸切断具において、前記発熱部は、前記案内部の案内方向に沿う平板状に形成されていてもよい。
【００１１】
切断部を平板状に形成することで、案内方向に対する強度を確保し、切断部の変形をより確実に防ぐことができる。
【００１２】
前記釣糸切断具において、前記案内部において、前記切断部の周りに該切断部を保護するための壁面が形成されていてもよい。
【００１３】
これにより、案内部の前側の開口以外から切断部への外的負荷がより加わりにくくなり、切断部の変形をより確実に防ぐことができる。さらに、切断部の周りに壁面を設けることで、発熱部の熱を壁部の内側に滞留させることができる。すなわち、効率よく発熱させることができるとともに、発熱状態を相対的に長時間維持させることができる。
【００１４】
前記釣糸切断具において、前記案内部の開口は、前側に向かって広がるように形成されていてもよい。
【００１５】
これにより、使用者が釣糸を案内部に案内しやすくすることができる。
【００１６】
前記発熱体は、熱溶融により釣糸の先端部に溶融こぶを形成するための面状のこぶ生成部を備えていていもよい。
【００１７】
これにより、１台で、釣糸の切断作業とともに、「溶融こぶ」を生成する作業をすることができ、釣糸切断具の利便性を高めることができる。
【００１８】
前記釣糸切断具において、前記切断部と前記こぶ生成部は、同一平板上に形成されていてもよい。
【００１９】
このように、切断部とこぶ生成部とを同一平板状に形成することで、製造容易性が向上する。
【００２０】
前記釣糸切断具において、前記切断部の電路の断面積は、前記こぶ生成部の電路の断面積よりも小さくしてもよい。
【００２１】
このような構成にすることで、同じ電流が流された場合に、こぶ生成部よりも切断部を高い温度で発熱させることができる。これにより、切断部において、釣糸を切断しやすくすることができる。また、こぶ生成部では、釣糸が相対的にゆっくりと溶けるようになり、溶融こぶの生成作業がしやすくなる。
【００２２】
前記釣糸切断具において、光源と、前記光源の出射光を前記釣糸切断具の外側から視認できるように導く導光レンズとを備え、前記導光レンズの外表面は、前記光源の出射光の一部を前記切断部及び前記こぶ生成部に向かう方向に反射させるように構成されていてもよい。
【００２３】
これにより、使用者は、通電状態の確認をすることができるとともに、釣糸の切断時に手元が明るくなるので、作業時の視認性が向上する。
【発明の効果】
【００２４】
本発明の釣糸切断具は、従来の釣糸切断具と比較して、切断部が変形しにくく、使い勝手がよい。
【図面の簡単な説明】
【００２５】
【図１】釣糸切断具の一部分解斜視図
【図２】ヒーターユニットの斜視図
【図３】ヒーターユニットの分解斜視図
【図４】ヒーターユニットの正面図
【図５】図４のＶ−Ｖ線断面図
【図６】釣糸切断具の変形例を示す斜視図
【発明を実施するための形態】
【００２６】
以下、本発明の実施形態を図面に基づいて詳細に説明する。以下の好ましい実施形態の説明は、本質的に例示に過ぎず、本発明、その適用範囲あるいはその用途を制限することを意図するものではない。
【００２７】
本開示の釣糸切断具は、発熱体を保持する固定ユニットの前側に開口を設け、その開口から入ってきた釣糸を奥側に配置した発熱体の切断部に案内するように構成し、切断部が変形しにくいようにした点に特徴がある。
【００２８】
また、従来より、メインラインとリーダーとの結束作業において、あらかじめ端糸の先端に焼きを入れて「溶融こぶ（溶融玉）」を作ることで抜け止めができることが知られており、釣糸の切断作業とともに、この「溶融こぶ」を生成する作業が行われる場合がある。
【００２９】
以下の実施形態で説明する釣糸切断具は、１台の釣糸切断具において、釣糸の切断作業とともに、上記「溶融こぶ」を生成する作業をすることができるように構成されている点にも特徴がある。
【００３０】
以下において、図面を参照しつつ具体的に説明する。
【００３１】
−釣糸切断具の構成−
図１に示すように、本実施形態の釣糸切断具１は、細長い略円柱形状をしており、筒状の本体ケース２と、本体ケース２の長手方向の先端部に取り付けられたヒーターユニット３と、本体ケース２に収容された基板ユニット５とを備えている。なお、本実施形態では、釣糸切断具１の延びる方向を長手方向と呼ぶものとする。また、説明の便宜上、本体ケース２に対してヒーターユニット３が取り付けられている方の端を先端、先端と反対方向の端を後端と呼ぶものとする。
【００３２】
本体ケース２は、先端側ケース２１と後端側ケース２２とに分かれており、互いの対向する端部同士を嵌合させた状態で互いをねじ止め（図示省略）により固定され、一体的に構成されている。そして、先端側ケース２１と後端側ケース２２とのねじ止めを解除すると、互いを長手方向に引き外すことができ、本体ケース２に収容された基板ユニット５を露出させたり、基板ユニット５に実装されたバッテリ５１（電源に相当）を取り出して交換したりすることができるようになっている。先端側ケース２１の先端部２１１は、筒状であり、先端が開口していて、その開口部にねじ孔が形成されたボス部２１２が設けられ、後述するヒーターユニット３のベース部３１の後端を嵌め込んで、ねじ止め固定ができるように構成されている。
【００３３】
基板ユニット５は、例えば、プリント基板５０と、プリント基板５０に実装されたバッテリ５１とを有している。バッテリ５１からの供給電流は、プリント基板５０の先端側に設けられた電源端子５３を介してヒーターユニット３に供給される。電源端子５３の形状は、特に限定されないが、例えば、図１に示すように、長手方向に沿って延びる矩形筒状に形成されている。５２は、バッテリ５１と電源端子５３とを接続する配線である。
【００３４】
さらに、プリント基板５０の先端部には、長手方向の先端側に向かって光を出射する光源５５（例えば、ＬＥＤ）が設けられている。また、プリント基板５０の後端部には、後端側ケース２２の後端側に形成された開口（図示省略）と対応する位置に、バッテリ５１の充電時に使用する電源ケーブル（例えば、ＵＳＢケーブル、図示省略）用のコネクタ５７が設けられている。
【００３５】
先端側ケース２１の表面には、押しボタン式の操作部２５が設けられ、操作部２５の操作により、バッテリ５１からの供給電流のオン／オフを切り替えることができるようになっている。また、操作部２５の操作に基づいて、バッテリ５１からヒーターユニット３への供給電流量を段階的（例えば、２段階）に調整できるように構成してもよい。そうすることで、切断対象となる釣糸の径や、気象環境等に応じて温度の使い分けができるので、使用者の利便性が向上する。
【００３６】
さらに、釣糸切断具１は、先端側ケース２１のヒーターユニット３及び操作部２５の外側を覆うように、本体ケース２の先端側から長手方向に嵌め込むことができるように構成された筒状のキャップ２７を備えている。
【００３７】
なお、基板ユニット５に関し、バッテリ５１からの電源供給回路、操作部２５の操作に応じた電流調整回路、バッテリ５１の充電回路、光源５５の駆動回路には、従来から知られている技術を適用することができるので、ここではその詳細説明を省略する。
【００３８】
−ヒーターユニットの構成−
図２から図５を参照しつつ、ヒーターユニットの構成について説明する。
【００３９】
ヒーターユニット３は、ベース部３１と、平板状の発熱体３３と、板状のヒーターカバー３５と、導光レンズ３７とを備えている。
【００４０】
発熱体３３は、平行に延びる細長い平板状の一対の電極３３１と、一対の電極の先端部間に形成され、後述する案内部の案内方向に沿って延びる平板状の発熱部３３２とにより構成されている。
【００４１】
発熱部３３２は、押し当てられた釣糸を熱溶融により切断するための切断部３３５と、同じく熱溶融により押し当てられた釣糸の先端に玉状の「溶融こぶ」を作るためのこぶ生成部３３６とを備えている。
【００４２】
切断部３３５は、一方の電極３３１の先端から先端方向に向かって突出するように円弧状に、該円弧の直径方向の反対側まで延びている。そして、切断部３３５の先端が、切断部３３５の奥側に配置された円板状のこぶ生成部３３６の辺に接続されている。こぶ生成部３３６では、切断部３３５の先端との接続位置と直径方向に対向する（反対側の）辺に、こぶ生成部３３６の内側を円弧状に延びる配線３３８を介して他方の電極３３１が接続されている。換言すると、一方の電極３３１から供給された電流は、切断部３３５及びこぶ生成部３３６を通って他方の電極３３１に流れるようになっている。
【００４３】
ここで、切断部３３５の電路（電流が通過する面）の断面積は、電極３３１及びこぶ生成部の電路（電流が通過する面）の断面積よりも小さくなっている。これにより、電極３３１、切断部３３５及びこぶ生成部３３６に同じ電流が流された場合に、切断部３３５を最も高い温度で発熱させることができ、釣糸を切断しやすくすることができる。一方で、こぶ生成部３３６では、電路の断面積を広く確保することで、温度の上昇を抑えて切断部３３５よりも低温になるようにしている。これにより、釣糸が相対的にゆっくりと溶けるようになり、溶融こぶの生成作業がしやすくなる。また、切断部３３５及び配線３３８を相対的に幅狭にしてかつ円弧状に引くことで、熱溶融に必要な熱を得るための電流を低減させることができ、１回の充電に対するバッテリ５１の使用時間を長くすることができる。
【００４４】
なお、発熱部３３５の形状は、図２に示す形状に限定されるものではなく、熱溶融により釣糸を切断するための切断部と、熱溶融により釣糸の先端部に溶融こぶを生成するための面状のこぶ生成部とを備える他の形状であってもよい。例えば、発熱部３３２の外形が矩形状に形成され、切断部３３５が矩形状に延び、こぶ生成部３３６が矩形状に形成されていてもよい。また、例えば、切断部３３５とこぶ生成部３３６とを共通化した構成としてもよい。ただし、前述のとおり、図２のような構成にすることで、釣糸の切断作業と「溶融こぶ」の生成作業の両作業において、作業性に優れた構成とすることができる。また、発熱部３３２の厚さ、及び素材は、特に限定されるものではないが、例えば、厚さが０．１ｍｍ程度の略円形状のニクロム板を好適に使用することができる。また、電極３３１と発熱部３３２とは、同じ素材で作成されていてもよいし、別々の素材で形成されていてもよい。
【００４５】
ベース部３１は、その後端部３１１が、先端側ケース２１の先端部２１１の開口よりも若干小さい円柱状に形成されており、後端部３１１が先端側ケース２１の先端部２１１に嵌合され、ねじ止め固定されることで、ヒーターユニット３と本体ケース２とが一体的に構成される。ベース部３１には、後端部３１１の後端面から長手方向の後端側に向かって一対の棒状電極３４が突設されている。棒状電極３４は、ベース部３１の後端部３１１が先端側ケース２１の先端部２１１に嵌合されると、プリント基板５０の電源端子５３に差し込まれるように構成されている。これにより、棒状電極３４と電源端子５３とが電気的に接続されるようになっている。
【００４６】
また、ベース部３１は、その先端部３１３が鋭角形状になるように傾斜する傾斜面３１２を有している。そして、ベース部３１の先端部３１３は、先端形状が略Ｕ字状になるように切り欠かれている。図２に示すように、このベース部３１先端の切欠は、先端側（前側）に向かって広がるように形成されている。換言すると、ベース部３１は、先端側（前側）が開口し、その開口の先端側から入ってきた釣糸を、切り欠きの奥側に配置された切断部３３５に案内する案内部としての機能を有している。そして、図２に示すように、その案内部の開口は、前側に向かって広がるように形成されていてもよく、それにより、使用者が案内部内に釣糸を挿入しやすくすることができる。
【００４７】
ベース部３１の傾斜面３１２には、棒状電極３４と対応する位置が筒状に開口していて、そこに発熱体３３の電極３３１を差し込むことで、発熱体３３と棒状電極３４とが電気的に接続されるように構成されている。
【００４８】
さらに、傾斜面３１２には、傾斜面を正面から見た正面視において、その中央付近から先端の間において、略矩形状に凹む凹部３１５が形成されている。この凹部３１５の正面視における中央部分には、略円柱形状で、凹部３１５の深さと略同じくらいの高さの突起３１４が突設されている。突起３１４は、こぶ生成部３３６と対応する位置に設けられていて、こぶ生成部３３６に釣糸の先端が押し当てられたときに、こぶ生成部３３６の撓みやへこみを防止する支持部としての機能を有している。また、ベース部３１における凹部３１５の後端側には、導光レンズ３７を挿通するための挿通孔３１８が長手方向に沿って貫通形成されている。
【００４９】
ヒーターカバー３５は、その外形形状が、傾斜面３１２の外形形状と同じであり、挿通孔３１８と対応する位置に、導光レンズ３７を挿通するための挿通孔３５１が貫通形成されている。また、ヒーターカバー３５は、先端部３５３が開口した略Ｕ字形状に形成されている。これにより、ヒーターカバー３５の中央部分には、先端方向及び厚さ方向に開口する開口部３５２が形成されており、この開口部３５２から切断部３３５及びこぶ生成部３３６が露出するようになっている（図３、図４参照）。すなわち、ヒーターカバー３５は、ベース部３１とともに、案内部としての機能を有している。そして、ベース部３１及びヒーターカバー３５が、固定ユニットに相当する。
【００５０】
また、図５に示すように、発熱部３３２（切断部３３５及びこぶ生成部３３６）の周囲を、ヒーターカバー３５の開口部の内壁３５４（壁部に相当）で囲むように構成されている。さらに、発熱部３３２の裏側は、前述のベース部３１の凹部３１５の底面と対向し、遮られている。これにより、発熱部３３２の熱を、この囲まれた空間に滞留させることができ、効率よく発熱させることができるとともに、発熱状態を相対的に長時間維持することができる。
【００５１】
導光レンズ３７は、ヒーターカバー３５の挿通孔３５１及びベース部３１の挿通孔３１８に挿通される円柱状の導光部３７１を有している。導光部３７１の後端には、光源５５（例えば、ＬＥＤ）が配置されている。光源５５は、操作部２５が操作されてバッテリ５１からの電流供給が行われると発光するように構成されている。そして、光源５５が点灯すると、その出射光が導光部３７１により導光され、外側から通電状態が視認できるようになっている。また、導光レンズ３７の外表面３７２は、緩やかな円弧状になっていて、光源５５の出射光（後端から先端に向かう方向の光）の一部を折り返して、切断部３３５及びこぶ生成部３３６に向かう方向に反射させる反射面となっている（図５の仮想線参照）。これにより、使用者は、釣糸切断具１の通電状態を確認することができるとともに、切断及びこぶ生成時に手元が明るくなるので、作業時の視認性が向上する。
【００５２】
図２に示すように、ヒーターユニット３を製造する際には、ベース部３１の傾斜面３１２とヒーターカバー３５の裏面とで発熱体３３の切断部３３５やこぶ生成部３３６の周辺部分を挟み込み、その状態で、ベース部３１とヒーターカバー３５との間を接着剤等により固定することで、発熱体３３を固定（位置決め）する。すなわち、案内部（固定ユニット）としてのベース部３１及びヒーターカバー３５先端の開口の奥側において切断部３３５が露出するように、ベース部３１とヒーターカバー３５とで発熱体３３を保持している。さらに、発熱部３３２は、ベース部３１の傾斜面３１２に沿うように配置されている、すなわち、前下がりに傾斜するように配置されている。
【００５３】
以上のように、本実施形態の釣糸切断具１は、発熱体３３を保持するように構成されたベース部３１及びヒーターカバー３５の前側に開口を設け、その開口から入ってきた釣糸をその開口の奥側において露出するように配置した切断部３３５に案内するように構成されている。これにより、従来の釣糸切断具を比較して切断部３３５が変形しにくい。
【００５４】
さらに、発熱部３３２を平板状に形成しているので、電熱線式と比較して、発熱部３３２が曲がったり、折れたりしにくくなり、耐久性が高い。さらに、切断部３３５が発熱部３３２の先端部に設けられているので、釣糸の切断作業がやりやすい。
【００５５】
また、発熱部３３２が、熱溶融により釣糸を切断するための切断部３３５と、熱溶融により釣糸の先端部に溶融こぶを生成するための面状のこぶ生成部３３６とを備えているので、１台で、釣糸の切断作業とともに、「溶融こぶ」を生成する作業をすることができる。これにより、釣糸切断具の利便性を高めることができる。
【００５６】
なお、上記実施形態では、発熱部３３２は、切断部３３５とこぶ生成部３３６とを有し、平板状であるものとしたが、これに限定されない。例えば、図６に示すように、こぶ生成部３３６がなく、切断部３３５が線状に形成されているような構成であってもよい。具体的に、図６では、上記実施形態の発熱体３３に代えて、平板状の一対の電極３３１の間に、螺旋状に延びる線状の切断部３４５を有する発熱体３４を取り付けた例を示している。そして、ベース部３１の傾斜面３１２とヒーターカバー３５の裏面とで発熱体３４の切断部３４５の周辺部分を挟み込んで保持している。図６の構成においても、ベース部３１及びヒーターカバー３５の前側が開口しており、その開口から入ってきた釣糸をその開口の奥側において露出するように配置した切断部３４５に案内するように構成されているので、上記実施形態と同様に、従来の電熱線式と比較して、発熱部３３２が変形しにくい。
【００５７】
また、上記実施形態では、こぶ生成部３３６は、平面であるものとして説明したが、これに限定されない。例えば、こぶ生成部３３６が、凸条または凹状に湾曲する湾曲面であってもよい。
【産業上の利用可能性】
【００５８】
本発明に係る釣糸切断具は、従来技術と比較して使い勝手が良く、利便性が高いので極めて有用である。
【符号の説明】
【００５９】
１  釣糸切断具
３３２  発熱部
３３５  切断部
３３６  こぶ生成部
３５４  内壁（壁部）
３７  導光レンズ
５１  バッテリ（電源）
５５  光源
【図１】
2020114184.tif 000003
【図２】
2020114184.tif 000004
【図３】
2020114184.tif 000005
【図４】
2020114184.tif 000006
【図５】
2020114184.tif 000007
【図６】
2020114184.tif 000008